(57)【特許請求の範囲】
【請求項１】
上面に物品出入用の開口を備え、この開口に冷気エアーカーテンを形成して成る低温ショーケースにおいて、
前記開口の一側に形成され、水平方向に開放した冷気吐出口と、下方から起立して前記冷気吐出口に連通する冷気吐出ダクトと、前記冷気吐出口内に設けられた風向板とを備え、
この風向板は、前記冷気吐出口の下部から水平方向に延在し、前記冷気吐出ダクト側に張り出した下辺部と、この下辺部の先端から一体に連続して折り返され、下辺部と間隔を存して対向する上辺部とから構成されており、前記下辺部の先端は冷気吐出ダクトの壁面と間隔を存し、且つ、下辺部には複数の冷気吹出孔が形成され、上辺部はこの冷気吹出孔の上方において、先端が低く傾斜して設けられると共に、前記冷気吐出ダクト内を上昇して来る冷気を内側と外側とに分割し、内側の冷気流を水平より下方に指向させることを特徴とする低温ショーケース。
【請求項２】
前記風向板は、外側の冷気流の速度を、内側よりも速くすることを特徴とする請求項１の低温ショーケース。
【発明の詳細な説明】
【０００１】
【発明の属する技術分野】
本発明は、上面に物品出入用の開口を備え、この開口に冷気エアーカーテンを形成して成る低温ショーケースに関するものである。
【０００２】
【従来の技術】
従来よりこの種低温ショーケースは、例えば実公平７−４２０７８１号公報（Ｆ２５Ｄ２３／００）に示されている。この低温ショーケースはスーパーマーケット或いはコンビニエンスストアなどの店舗内に設置されるもので、貯蔵室に冷凍或いは冷蔵食品等を保存しながら陳列するように構成されている。以下、図５を用いて係る従来の低温ショーケース１００の構造を説明する。低温ショーケース１００は上面を開口した図示しない断熱箱体にて構成されており、断熱箱体の開口上縁前後には図５に示す如きガラス或いはアクリル板等から成る二重構造の透明壁１０４がそれぞれ設けられている。
【０００３】
各透明壁１０４、１０４の内側には所定の間隔を存して仕切板１０５が設けられており、仕切板１０５の内側を貯蔵室１０３とされている。そして、例えば貯蔵室１０３の開口後側の仕切板１０５上端と透明壁１０４の間に冷気吐出口１０７が形成され、開口前側の仕切板１０５と透明壁１０４間に図示しない冷気吸込口が形成される。
【０００４】
後側の透明壁１０４と仕切板１０５間には冷気吐出ダクト１０６が下方から起立して形成され、その上端は冷気吐出口１０７に連通しており、前側の透明壁１０４と仕切板１０５間には冷気吸込ダクト（図示せず）が下方から起立して形成され、その上端は前記冷気吐出口に連通している。また、各透明壁１０４、１０４の上部は内側に湾曲しており、これによって冷気吐出口１０７と冷気吸込口は対向するかたちとされている。
【０００５】
冷気吐出口１０７側の透明壁１０４の先端部には二枚のガラス板などの端部を連結するための吐出ブレーカ１０８が取り付けられている。この吐出ブレーカ１０８には冷気吐出ダクト１０６側に低く傾斜する突出部１０８Ａが形成され、冷気吐出口１０７上部に突出している。
【０００６】
前記仕切板１０５の上端には冷気吐出ダクト１０６側に向けて制御板１０９が取り付けられている。この制御板１０９は、冷気吐出ダクト１０６内の冷気を絞って流速を速めるためのもので、冷気吐出ダクト１０６内を上昇した冷気は突出部１０８Ａと制御板１０９とによって絞られた後、冷気吐出口１０７より吐出されるように構成されている。
【０００７】
一方、貯蔵室１０３の下方には図示しない冷却室が設けられており、この冷却室には図示しない冷凍装置を構成する冷却器及び送風機等が設置されている。係る冷却室は冷気吐出ダクト１０６及び前記冷気吸込ダクトに連通しており、送風機が運転されると冷却器にて冷却された冷気は、冷気吐出ダクト１０６内を上昇して冷気吐出口１０７より冷気吸込口に向かって吐出される。
【０００８】
これによって、貯蔵室１０３の上面開口には冷気エアーカーテンが形成され、この冷気エアーカーテンの一部が貯蔵室１０３内を循環し、貯蔵室１０３内に陳列した冷凍或いは冷蔵食品は所定の冷凍或いは冷蔵に保存される。そして、冷気吸込口に向かって吐出された冷気は冷気吸込口より冷却室に帰還する。係る冷却によって、吐出ブレーカ１０８には結露が生じるが、これらの結露は突出部１０８Ａを伝って冷気吐出ダクト１０６側に流下するので、貯蔵室１０３が浸水することは無いものであった。
【０００９】
【発明が解決しようとする課題】
しかしながら、係る従来の構成では冷気吐出ダクト１０６内に設けられた制御板１０９によって冷気吐出ダクト１０６内を上昇した冷気を絞ることにより、冷気のスピードを速めて冷気エアーカーテンを形成するだけの構造であったため、外乱によって冷気エアーカーテンが乱れ易く、特に、吐出ブレーカ１０８の突出部１０８Ａによって冷気吐出口１０７の上縁部に渦流が発生するため、大量の外気が巻き込まれて冷却効果を大幅に低下させてしまう問題があった。
【００１０】
また、冷気エアーカーテンに大量の外気が巻き込まれると、貯蔵室１０３内の湿度が多くなってしまう。これによって、貯蔵室１０３内に霜や露が増大してしまう問題もある。
【００１１】
本発明は、係る従来技術の課題を解決するために成されたものであり、簡単な構成により冷気エアーカーテンの乱れを防止し、貯蔵室内の冷却効果を改善することができる低温ショーケースを提供することを目的とする。
【００１２】
【課題を解決するための手段】
即ち、請求項１の発明の低温ショーケースは、上面に物品出入用の開口を備え、この開口に冷気エアーカーテンを形成したもので、開口の一側に形成され、水平方向に開放した冷気吐出口と、下方から起立して冷気吐出口に連通する冷気吐出ダクトと、冷気吐出口内に設けられた風向板とを備え、この風向板は、冷気吐出口の下部から水平方向に延在し、冷気吐出ダクト側に張り出した下辺部と、この下辺部の先端から一体に連続して折り返され、下辺部と間隔を存して対向する上辺部とから構成されており、下辺部の先端は冷気吐出ダクトの壁面と間隔を存し、且つ、下辺部には複数の冷気吹出孔が形成され、上辺部はこの冷気吹出孔の上方において、先端が低く傾斜して設けられると共に、冷気吐出ダクト内を上昇して来る冷気を内側と外側とに分割し、内側の冷気流を水平より下方に指向させるものである。
【００１３】
また、請求項２の発明の低温ショーケースは、上記に加えて風向板は、外側の冷気流の速度を、内側よりも速くするものである。
【００１４】
【発明の実施の形態】
次に、図面に基づき本発明の実施形態を詳述する。図１は本発明の低温ショーケース１の斜視図、図２は本発明の低温ショーケース１の冷気吐出ダクト６部分の拡大縦断側面図、図３は風向板９の斜視図をそれぞれ示している。実施例の低温ショーケース１は、スーパーマーケットやコンビニエンスストアなどの店舗内に設置されて、貯蔵室３内に冷凍或いは冷蔵食品等を保存しながら陳列するもので、上面を開口した断熱箱体２にて構成されている。
【００１５】
この断熱箱体２の開口前後にはガラス板（或いはアクリル板等）で構成された二重構造の透明壁４、４が立設されており、各透明壁４の内側には所定の間隔を存して仕切板５（貯蔵室３の壁面となる）がそれぞれ設けられている。また、後側の透明壁４と仕切板５の間に冷気吐出ダクト６が形成され、下方から起立しており、前側の透明壁４と図示しない前側の仕切板の間には冷気吸込ダクトが形成され、下方から起立している。そして、両仕切板５の内側を貯蔵室３とされている。尚、１３、１３は透明壁４、４の側部を連結する側板である。
【００１６】
また、後側の仕切板５の上端と透明壁４の先端間には冷気吐出口７が形成され、冷気吐出ダクト６の上端はこの冷気吐出口７に連通している。また、前側の仕切板の上端と透明壁４の先端間には図示しない冷気吸込口が形成され、冷気吸込ダクトの上端はこの冷気吸込口に連通している。また、透明壁４の上部は貯蔵室３側に湾曲して形成されており、これにより、冷気吐出口７より吐出された冷気は冷気吸込口に向けて吐出されるように構成されている。
【００１７】
また、透明壁４の端部には二枚のガラス板の端部を連結する吐出ブレーカ８が取り付けられている。この吐出ブレーカ８の下部は冷気吐出ダクト６方向に低く傾斜しており、この傾斜面８Ａの下端が、仕切板５より透明壁４側において、当該透明壁４の内側のガラス板の先端に連結している。また、冷気吐出ダクト６内には風向板９が設けられており、この風向板９は冷気吐出ダクト６内を上昇した冷気を内側と外側とに分割すると共に、内側の冷気流Ｂを水平より下方に指向させるもので、仕切板５の上端に取り付けられている。
【００１８】
この風向板９は下辺部１０と上辺部１２とから構成されており、下辺部１０は冷気吐出口７の下部となる仕切板５上端部から透明壁４側に水平方向に延在されている。また、下辺部１０は冷気吐出ダクト６内の略中間で略４５度の角度で上側に折れ曲がっており、その先端は透明壁４と所定の間隔を存してその近傍まで延在している。そして、折り曲げられた透明壁４側の下辺部１０には所定寸法の冷気吹出孔１１が一端から他端にかけて複数穿設されている。この冷気吹出孔１１・・・は円形、長円形或いは角形に形成されている。尚、９Ａは仕切板５への取付片である。
【００１９】
また、上辺部１２は下辺部１０の先端から連続して一体に形成されており、この上辺部１２は下辺部１０の先端から鋭角で透明壁４端部に向けて折り返されている。そして、上辺部１２はまた冷気吐出ダクト６内の略中間から折り曲げられ、これら上辺部１２と下辺部１０とは所定の間隔を存して対向される。また、上辺部１２は冷気吹出孔１１・・・の上方で先端を低く傾斜されると共に、下辺部１０の先端を仕切板５と所定の間隔で離間されている。
【００２０】
これにより、冷気吐出ダクト６を上昇して冷気吹出孔１１・・・を通り抜けた冷気は、仕切板５と上辺部１２との間から貯蔵室３に吐出されると共に、上辺部１２によって冷気流は水平より下方に指向するようになる。
【００２１】
即ち、冷気吐出ダクト６内を上昇した冷気は風向板９によって内側の冷気流Ｂと外側の冷気流Ａとに分割される。また、風向板９を透明壁４近傍まで延在させることにより、そこを通過する冷気流Ａは絞られ、風向板９の上側の冷気吐出口７より吐出される冷気の流速は冷気流Ｂよりも速められる。更に、風向板９の上辺部１２の先端を低く傾斜させることにより、冷気流Ｂは貯蔵室３内に向けて吹き出されるようになる。
【００２２】
以上の構成で、貯蔵室３の下方には図示しない冷却室が設けられており、この冷却室には冷凍装置（図示せず）を構成する冷却器及び送風機等が設置されると共に、冷却室は冷気吐出ダクト６及び冷気吸込ダクトに連通している。そして、送風機が運転されると冷却器で冷却された冷気は、冷気吐出ダクト６内を上昇して冷気吐出口７より冷気吸込口に向かって吐出される。
【００２３】
これによって、貯蔵室３の開口には冷気エアーカーテンが形成されるが、このとき、前述の如く風向板９によって冷気吐出ダクト６内を上昇した冷気は内側の冷気流Ｂと外側の冷気流Ａとに分割されると共に、外側の冷気流Ａは速められ、内側の冷気流Ｂは水平より下方に吐出される。これにより、外側の冷気エアーカーテンによる外気の巻込量を減少させることができ、大幅に冷却効率を向上させることができるようになる。
【００２４】
また、冷気吐出口７より吐出された冷気流は貯蔵室３内に向けて吐出させているので、吐出された冷気は貯蔵室３外に出て行ってしまうことを防止することができる。これにより、貯蔵室３内へ流入する冷気循環量を増大させることができ、貯蔵室３内に陳列した冷凍或いは冷蔵食品を良好に保存することができるようになる。そして、貯蔵室３内を循環した冷気及び冷気エアーカーテンは冷気吸込口より冷気吸込ダクトを介して冷却室に帰還する。
【００２５】
ここで、吐出ブレーカ８に付着した結露は傾斜面８Ａを伝って冷気吐出ダクト６内に流下するが、このとき吐出ブレーカ８の傾斜面８Ａは従来の如く冷気吐出口７に突出しないので、冷気流Ａが乱されることも無いものである。
【００２６】
【発明の効果】
以上詳述した如く本発明によれば、上面に物品出入用の開口を備え、この開口に冷気エアーカーテンを形成して成る低温ショーケースにおいて、開口の一側に形成され、水平方向に開放した冷気吐出口と、下方から起立して冷気吐出口に連通する冷気吐出ダクトと、冷気吐出口内に設けられた風向板とを備えており、この風向板は、冷気吐出口の下部から水平方向に延在し、冷気吐出ダクト側に張り出した下辺部と、この下辺部の先端から一体に連続して折り返され、下辺部と間隔を存して対向する上辺部とから構成されており、下辺部の先端は冷気吐出ダクトの壁面と間隔を存し、且つ、下辺部には複数の冷気吹出孔が形成され、上辺部はこの冷気吹出孔の上方において、先端が低く傾斜して設けられると共に、冷気吐出ダクト内を上昇して来る冷気を内側と外側とに分割し、内側の冷気流を水平より下方に指向させるので、冷気吐出ダクトを上昇して来た冷気が冷気吐出口から上方に逃げ難くなり、庫内への冷気循環量が増大することによる冷却効果・冷却速度の向上を図ることができるようになる。
【００２７】
また、上記冷気の分流及び方向付けを単一の風向板にて行うことができるようになる。これにより、部品点数の削減によるコストの低減と生産性の向上を図ることができるようになるものである。
【００２８】
請求項２の発明によれば、上記に加えて風向板により外側の冷気流の速度を、内側よりも速くしたので、外側の冷気エアーカーテンによる外気の巻込量が減少し、これによっても冷却効果の向上が図れると共に、庫内に侵入する外気の減少により、霜や露の付着量も減少するものである。
【図面の簡単な説明】
【図１】  本発明の低温ショーケースの斜視図である。
【図２】  本発明の低温ショーケースの冷気吐出ダクト部分の拡大縦断側面図である。
【図３】  風向板の斜視図である。
【図４】  風向板の後方斜視図である。
【図５】  従来の低温ショーケースの冷気吐出ダクト部分の拡大縦断側面図である。
【符号の説明】
１  低温ショーケース
３  貯蔵室
４  透明壁
５  仕切板
６  冷気吐出ダクト
７  冷気吐出口
８  吐出ブレーカ
９  風向板
１０  下辺部
１１  冷気吹出孔
１２  上辺部
１３  側板
Ａ  外側の冷気流
Ｂ  内側の冷気流
【図１】
0003806496.tif 000002
【図２】
0003806496.tif 000003
【図３】
0003806496.tif 000004
【図４】
0003806496.tif 000005
【図５】
0003806496.tif 000006